(57)【要約】【課題】簡単、軽量な構造で、槽内の被攪拌物を上下に効率よく攪拌でき、槽への取付けや取外し作業も容易で、湿度の高い粉体や有機廃棄物、粘性の高い液体の攪拌などに広く使用できる攪拌装置を提供するものである。【解決手段】ギアードモータ１０に接続して回転するシャフト１１を縦形に設け、このシャフト１１の外周にスクリュー羽根１２Ａ、１２Ｂを取付け、シャフト上部側のスクリュー羽根１２Ａは、シャフト１１の回転により浴槽２内の米糠３を下降させる螺旋向きに形成し、シャフト下部側のスクリュー羽根１２Ｂは、シャフト１１の回転により米糠３を上昇させる螺旋向きに形成したものである。【選択図】  図１
2012011325.tif 000002
【特許請求の範囲】
【請求項１】
回転駆動源に接続して回転するシャフトを縦形に設け、このシャフトの外周にスクリュー羽根を取付け、シャフト上部側のスクリュー羽根は、シャフトの回転により被攪拌物を下降させる螺旋向きに形成し、シャフト下部側のスクリュー羽根は、シャフトの回転により被攪拌物を上昇させる螺旋向きに形成したことを特徴とする攪拌装置。
【請求項２】
シャフトの回転により被攪拌物を上昇させる螺旋向きに形成したシャフト下部側のスクリュー羽根の長さが、シャフトの回転により被攪拌物を下降させる螺旋向きに形成したシャフト上部側のスクリュー羽根の長さより長く形成されていることを特徴とする請求項１記載の攪拌装置。
【請求項３】
シャフトの回転により被攪拌物を上昇させる螺旋向きに形成したシャフト下部側のスクリュー羽根の螺旋ピッチが、シャフトの回転により被攪拌物を下降させる螺旋向きに形成したシャフト上部側のスクリュー羽根の螺旋ピッチより狭く形成されていることを特徴とする請求項１または２記載の攪拌装置。
【請求項４】
請求項１記載の攪拌装置において、更にシャフトを縦形に接続した回転駆動源を、被攪拌物を収納した槽の上部に設けたＸーＹテーブル上に移動可能に取付けたことを特徴とする攪拌装置。                      
【発明の詳細な説明】
【技術分野】
【０００１】
本発明は、湿度の高い粉体や有機廃棄物、粘性の高い液体などを攪拌するスクリュー式攪拌装置の改良に関するものである。
【背景技術】
【０００２】
近年、酵素と水とを混合した米糠を浴槽に入れ、酵素の好気性状態での発酵熱によって加熱された米糠内に身体を埋めることにより、発汗作用を促進すると共に体内に酵素を吸収して疲労回復やストレス解消、肥満防止などの効果がある酵素浴が普及してきている（特許文献１）。
【０００３】
この酵素浴では、米糠の発酵を促進することにより、その発酵熱によって５０°〜８５°Ｃに暖めて温度を保持しているが、何回も入浴しているうちに、次第に米糠が体重により圧縮されて発酵が不活発になって温度が低下してくる。このような状態になった時には、新たな米糠を上部に敷きつめて、酵素液を散布した後、スコップで浴槽内全体の米糠を攪拌して好気性状態に保持していた。しかしながらこの浴槽全体の米糠をスコップで掘り返して攪拌する作業は重労働であり、簡易な装置での攪拌方法が望まれていた。
【０００４】
このため米糠を浴槽に入れた酵素浴で、攪拌する方法としてモータに接続して回転するシャフトを縦形に設け、このシャフトの外周にスクリュー羽根を取付けた攪拌装置により浴槽内の米糠を攪拌する攪拌装置（特許文献２）を検討した。しかしながらこのスクリュー式の攪拌装置で、湿度の高い米糠を攪拌すると抵抗が大きいため、攪拌装置自体が持ち上げられて、底部側の米糠を攪拌できない問題があった。このため、大きな動力の重量の重いモータを用い、このモータが走行する駆動装置を、レールから持ち上がらないように重量を重くした構造としなければならず、この結果、攪拌装置が大型化し、攪拌する時に浴槽への取付け取外し作業が重労働となってしまう問題があった。
【先行技術文献】
【特許文献】
【０００５】
【特許文献１】特開平１１−１９２２７７号公報
【特許文献２】特開２００４−２４９２５５号公報（図１、図４）
【発明の概要】
【発明が解決しようとする課題】
【０００６】
本発明は上記問題を改善し、簡単、軽量な構造で、槽内の被攪拌物を上下に効率よく攪拌でき、槽への取付けや取外し作業も容易で、湿度の高い粉体や有機廃棄物、粘性の高い液体の攪拌などに広く使用できる攪拌装置を提供するものである。
【課題を解決するための手段】
【０００７】
本発明の請求項１記載の攪拌装置は、回転駆動源に接続して回転するシャフトを縦形に設け、このシャフトの外周にスクリュー羽根を取付け、シャフト上部側のスクリュー羽根は、シャフトの回転により被攪拌物を下降させる螺旋向きに形成し、シャフト下部側のスクリュー羽根は、シャフトの回転により被攪拌物を上昇させる螺旋向きに形成したことを特徴とするものである。
【０００８】
本発明の請求項２記載の攪拌装置は、請求項１において、シャフトの回転により被攪拌物を上昇させる螺旋向きに形成したシャフト下部側のスクリュー羽根の長さが、シャフトの回転により被攪拌物を下降させる螺旋向きに形成したシャフト上部側のスクリュー羽根の長さより長く形成されていることを特徴とするものである。
【０００９】
本発明の請求項３記載の攪拌装置は、請求項１または２において、シャフトの回転により被攪拌物を上昇させる螺旋向きに形成したシャフト下部側のスクリュー羽根の螺旋ピッチが、シャフトの回転により被攪拌物を下降させる螺旋向きに形成したシャフト上部側のスクリュー羽根の螺旋ピッチより狭く形成されていることを特徴とするものである。
【００１０】
本発明の請求項４記載の攪拌装置は、請求項１において、更にシャフトを縦形に接続した回転駆動源を、被攪拌物を収納した槽の上部に設けたＸーＹテーブル上に移動可能に取付けたことを特徴とするものである。            
【発明の効果】
【００１１】
本発明に係る請求項１記載の攪拌装置によれば、上部側のスクリュー羽根はシャフトの回転により被攪拌物を下降させる螺旋向きに形成され、下部側のスクリュー羽根はシャフトの回転により被攪拌物を上昇させる螺旋向きに形成されているので、中央部付近で上下の被攪拌物が攪拌されて混合されると共に、上下の力のバランスが取れているので、攪拌装置が軽くても浮き上がることがない。このため小型で軽量、安価な回転駆動源を用いることができる。
【００１２】
また請求項２記載の攪拌装置によれば、シャフトの回転により被攪拌物を上昇させる螺旋向きに形成したシャフト下部側のスクリュー羽根の長さが、シャフトの回転により被攪拌物を下降させる螺旋向きに形成したシャフト上部側のスクリュー羽根の長さより長く形成されているので、密の状態となっている下部側の被攪拌物が上昇する割合が多くなり、全体として均一に攪拌することができる。
【００１３】
また請求項３記載の攪拌装置によれば、シャフトの回転により被攪拌物を上昇させる螺旋向きに形成したシャフト下部側のスクリュー羽根の螺旋ピッチが、シャフトの回転により被攪拌物を下降させる螺旋向きに形成したシャフト上部側のスクリュー羽根の螺旋ピッチより狭く形成されているので、密の状態となっている下部側の被攪拌物を大きな力で上昇させて、全体として均一に攪拌することができる。
【００１４】
また請求項４記載の攪拌装置によれば、シャフトを縦形に接続した回転駆動源を、被攪拌物を収納した槽の上部に設けたＸーＹテーブル上に移動可能に取付けたので、槽内の被攪拌物全体を均一に攪拌することができる。
【発明を実施するための最良の形態】
【００１５】
以下本発明の実施の一形態を図１ないし図３を参照して詳細に説明する。図において１は攪拌装置を示すもので、２は浴槽、３は米糠、４は浴槽の上に形成したガイドレール、５はこれと直交するガイドレール、６はこのガイドレールの上に載せた攪拌装置１の走行装置、７は走行装置６の下部に取付けたキャスター、８は走行装置６の横に取付けたハンドルである。前記浴槽２は例えば、縦が２１００ｍｍ、横が１４００ｍｍ、高さが６００ｍｍで、この中に米糠３が高さ５００ｍｍ程度収納されている。
【００１６】
前記攪拌装置１は上部に下向きにギアードモータ１０に設けられ、この下方に突出した出力軸にシャフト１１が回転自在に取付けられている。このシャフト１１の外周の上部側には、シャフト１１の回転により米糠３を下降させる螺旋向きに形成したスクリュー羽根１２Ａが取付けられ、またシャフト１１の外周の下部側には、シャフト１１の回転により米糠３を上昇させる螺旋向きに形成したスクリュー羽根１２Ｂが取付けられている。この場合、スクリュー羽根１２Ａ、１２Ｂは例えばそれぞれ４ターンに形成され、羽根の螺旋ピッチは５０〜１００ｍｍ程度に形成されている。この攪拌装置１を支持する走行装置６は、下部に４個のキャスター７が取付けられ、側面にハンドル８が横方向に取付けられている。また走行装置６の上部には２個の取っ手１３が取付けられている。
【００１７】
また浴槽２の左右上縁にはガイドレール４が一体に取付けられている。またこのガイドレール４の上には、図２に示すように四角枠状のフレーム９が設けられ、このフレーム９の内側に前記ガイドレール４と直交した２本のガイドレール５が取付けられている。このフレーム９の左右両側の下部にはキャスター７が取付けられ、浴槽２の左右上縁に取付けたガイドレール４内を走行するようになっている。また四角枠状に形成されたフレーム９の各コーナの上部には取っ手１３が取付けられている。またフレーム９に取付けたガイドレール５内を、走行装置６のキャスター７が走行するようになっており、ガイドレール４、５でＸーＹテーブルが形成されている。
【００１８】
上記構成をなす攪拌装置で浴槽２内の米糠３を攪拌する場合について説明する。例えば酵素浴の浴場で、営業中はフレーム９や攪拌装置１を取付けた走行装置６を取外して浴槽２の上部を解放して使用する。１日の営業が終了すると、入浴者の体重が加わって浴槽２内の米糠３が圧縮されて密の状態となる。この状態になると米糠３と酸素との接触が悪くなって発酵作用が少なくなり、温度が低下してくる。このため新たな米糠３を上部に敷きつめて補充すると共に、この上から酵素液を散布する。
【００１９】
この後、フレーム９のコーナに取付けたキャスター７を、浴槽２の左右上縁に取付けたガイドレール４内に挿入してセットする。次に攪拌装置１のスクリュー羽根１２Ａ、１２Ｂを取付けたシャフト１１を米糠３内に差し込んで、フレーム９の内側に形成したガイドレール５内に、走行装置６のキャスター７を挿入してセットする。この時、フレーム９や走行装置６は、上部に取付けた取っ手１３を持って運ぶ。この後、図示しないスイッチを入れると、ギアードモータ１０が回転し、これに接続したシャフト１１が図１に示すように矢印方向に回転する。この結果、シャフト１１の外周に取付けたスクリュー羽根１２Ａ、１２Ｂも矢印方向に回転する。
【００２０】
この結果、浴槽２内のシャフト１１の下部側が挿入されている下部側の米糠３は、スクリュー羽根１２Ｂがシャフト１１の回転により米糠３を上昇させる螺旋向きに形成されているので米糠３が上昇していく。これと同時に、シャフト１１の上部側が挿入されている上部側の米糠３は、スクリュー羽根１２Ａがシャフト１１の回転により米糠３を下降させる螺旋向きに形成されているので米糠３が下降し、中央部付近で新しく補充した米糠３と、浴槽底側の米糠３が攪拌されて混合すると共に、空気を巻き込んで粗の状態となり、発酵が促進される。
【００２１】
この時、ハンドル８を持って走行装置６を押していくとシャフト１１の外周に取付けたスクリュー羽根１２Ａ、１２ＢもＸ方向に移動して行く。このようにして、一定の幅で攪拌したら、フレーム９をガイドレール５に沿って少しＹ方向に移動させ、今度はハンドル８を手前に引きながら一定の幅でＸ方向に攪拌していく。このようにしてスクリュー羽根１２Ａ、１２Ｂを回転させながらＸーＹ方向に移動させることにより短時間で浴槽全体の米糠３を攪拌することができる。
【００２２】
また上部側のスクリュー羽根１２Ａはシャフト１１の回転により米糠３を下降させる螺旋向きに形成され、下部側のスクリュー羽根１２Ｂはシャフト１１の回転により米糠３を上昇させる螺旋向きに形成されて上下の力のバランスが取られているので、攪拌装置１を取付けた走行装置６が軽くても上昇させる力が働かず浮き上がることがない。つまり小型で軽量なギアードモータ１０を用いても、安定して攪拌することができ、構造が簡単で安価に製造できると共に、浴槽２への取付けや取外しも容易である。
【００２３】
図４は本発明の他の実施の形態を示すもので、走行装置６に支持されたギアードモータ１０の出力軸にシャフト１１が回転自在に取付けられ、シャフト１１の回転により米糠３を上昇させる螺旋向きに形成したシャフト下部側のスクリュー羽根１２Ｂの長さＬ１の長さを、シャフト１１の回転により米糠３を下降させる螺旋向きに形成したシャフト上部側のスクリュー羽根１２Ａの長さＬ２より長く形成したものである。
【００２４】
浴槽２内の米糠３は、上部側は余り圧縮されていないが、下部側ほど体重や米糠３の自重により圧縮されて密の状態となっている。このため、シャフト下部側のスクリュー羽根１２Ｂを５ターンとした長さＬ１を、シャフト上部側のスクリュー羽根１２Ａを４ターンとした長さＬ２より長く形成することにより、密の状態となっている下部側の米糠３が上昇する割合が多くなり、全体として均一に攪拌することができる。
【００２５】
図５は本発明の他の実施の形態を示すもので、シャフト１１の回転により米糠３を上昇させる螺旋向きに形成したシャフト下部側のスクリュー羽根１２Ｂの螺旋ピッチＰ１が、シャフト１１の回転により米糠３を下降させる螺旋向きに形成したシャフト上部側のスクリュー羽根１２Ａの螺旋ピッチＰ２より狭く形成したものである。この場合、螺旋ピッチＰ１は例えば４０〜６０ｍｍ程度に形成され、螺旋ピッチＰ２は例えば７０〜１１０ｍｍ程度に形成する。
【００２６】
この攪拌装置１も浴槽２内の米糠３が、下部側ほど体重や米糠３の自重により圧縮されて密の状態となっているので、シャフト下部側のスクリュー羽根１２Ｂの螺旋ピッチＰ１を、シャフト上部側のスクリュー羽根１２Ａの螺旋ピッチＰ２より狭く形成することにより、密の状態となっている下部側の米糠３を大きな力で切りながら上昇させて、全体として均一に攪拌することができる。
【００２７】
なお上記説明では回転駆動源であるギアードモータ１０を走行装置６に支持してこれに接続したハンドル８とガイドレール５を取付けたフレーム９を手でＸーＹテーブル上を移動させる構造について示したが、駆動機構を設けて自動的に移動させる構造でも良い。また走行装置６を設けず、ギアードモータ１０を手で保持し、スクリュー羽根１２Ａ、１２Ｂを設けたシャフト１１を米糠３内に挿入して攪拌する装置でも良い。また回転駆動源としては電動モータに限らず、油圧モータやエンジンでも良い。
【産業上の利用可能性】
【００２８】
また上記説明では浴槽２内の米糠３を攪拌する場合について示したが生ゴミなどの有機廃棄物や、粘性の大きな塗料の混合、あるいは砂とセメントの混合などにも広く使用することができる。
【図面の簡単な説明】
【００２９】
【図１】本発明の実施の一形態による米糠を入れた浴槽に攪拌装置を取付けた状態を示す縦断正面図である。
【図２】図１の平面図である。
【図３】図１の攪拌装置を示す正面図である。
【図４】本発明の他の実施の形態による攪拌装置の正面図である。
【図５】本発明の異なる他の実施の形態による攪拌装置の正面図である。
【符号の説明】
【００３０】
１    攪拌装置                                              
２    浴槽                                                  
３    米糠                                                  
４    ガイドレール                                          
５    ガイドレール                                          
６    走行装置                                              
７    キャスター                                            
８    ハンドル                                              
９    フレーム                                              
１０  ギアードモータ                                        
１１  シャフト                                              
１２Ａ  スクリュー羽根                                      
１２Ｂ  スクリュー羽根                                      
１３  取っ手                                                
【図１】
2012011325.tif 000003
【図２】
2012011325.tif 000004
【図３】
2012011325.tif 000005
【図４】
2012011325.tif 000006
【図５】
2012011325.tif 000007